(57)【要約】  【課題】環境保全の精神に合致し、自ら製作する喜びを感じることができ、資源を節約し、不必要な浪費を防ぐ交換式清掃用具を提供する。  【解決手段】交換式清掃用具は、ハンドル１０及び複数の交換式部材４０を備える。ハンドル１０は、末端部１２及び連結部１６を有する。連結部１６は、中空状に形成されて収容空間１８を含む。収容空間１８の出入口と末端部１２とは、ハンドル１０の異なる端部にそれぞれ設けられる。交換式部材４０は、一部がハンドル１０の収容空間１８に着脱自在に挿設され、残部が収容空間１８の出入口から露出されているため、ハンドル１０により容易に清掃作業を行う。【選択図】図２
0003201395.tif 000002
【実用新案登録請求の範囲】
【請求項１】
ハンドル１０及び複数の交換式部材４０を備えた交換式清掃用具であって、
前記ハンドル１０は、末端部１２及び連結部１６を有し、前記連結部１６は、中空状に形成されて収容空間１８を含み、前記収容空間１８の出入口と前記末端部１２とは、前記ハンドル１０の異なる端部にそれぞれ設けられ、
前記交換式部材４０は、一部が前記ハンドル１０の前記収容空間１８に着脱自在に挿設され、残部が前記収容空間１８の出入口から露出されているため、前記ハンドル１０により容易に清掃作業を行うことを特徴とする交換式清掃用具。
【請求項２】
前記連結部１６の内面には、前記連結部１６の前記収容空間１８に前記交換式部材４０が深く進入し過ぎることを防ぐために、少なくとも１つのストッパ部１３が設けられることを特徴とする請求項１に記載の交換式清掃用具。
【請求項３】
前記連結部１６の内面には、前記収容空間１８から前記交換式部材４０が不用意に外れることを防ぐために、少なくとも１つのリブ１１が突設されることを特徴とする請求項２に記載の交換式清掃用具。
【請求項４】
前記交換式部材４０は、発泡体４２、袋４４及び挟持部材２０を含み、
前記挟持部材２０は、２つのカバー２２を含み、
前記カバー２２は、部分的に接続されて接合位置と分離位置との間で揺動自在であり、
前記カバー２２は、それぞれ２つの溝２７を有し、
前記溝２７は、前記カバー２２の両側に位置し、
接合位置のとき、前記袋４４は、前記発泡体４２を覆うとともに２つの前記カバー２２により挟持され、前記カバー２２の前記溝２７が前記リブ１１に係合され、前記挟持部材２０を支持し、前記ハンドル１０の前記収容空間１８を封止し、
分離位置のとき、前記挟持部材２０が前記ハンドル１０の前記収容空間を離れ、前記カバー２２が分離されて前記発泡体４２が挟持されなくなることを特徴とする請求項３に記載の交換式清掃用具。
【請求項５】
前記カバー２２は、
前記カバー２２の内側に形成された挟持空間２８の周りを囲む壁２４と、
前記壁２４と一体化されて前記カバー２２の前記挟持空間２８へ突出された少なくとも１つの長板２１と、
前記長板２１の外縁から突出した少なくとも１つの歯２３と、を有し、
接合位置のとき、前記カバー２２の前記挟持空間２８により囲まれて凹溝が形成され、前記長板２１の前記歯２３のそれぞれが前記袋４４及び前記発泡体４２に噛合されることを特徴とする請求項４に記載の交換式清掃用具。
【請求項６】
前記挟持部材２０は、２つの凸縁２５及びラッチ構造３０を含み、
前記凸縁２５は、前記カバー２２の外側面に突設され、
前記ラッチ構造３０は、ピン３２及び槽３４を含み、
前記ピン３２及び前記槽３４は、それぞれ異なる前記カバー２２上に形成され、
接合位置のとき、前記凸縁２５が環状に形成されて前記ハンドル１０の前記連結部１６に当接され、
前記ラッチ構造３０の前記槽３４には、前記ピン３２が収容されて当接されることを特徴とする請求項４又は５に記載の交換式清掃用具。
【請求項７】
前記交換式部材４０は、ベース５２及び複数の毛５８を含み、
前記ベース５２は、前端面５４及び後端面５６を有し、
前記前端面５４と前記後端面５６との間隔は、前記リブ１１から前記ストッパ部１３までの距離に略等しく、
前記毛５８の一部が前記ベース５２の前記前端面５４に挿入され、
前記交換式部材４０が前記収容空間１８に挿入されると、前記ベース５２が前記リブ１１及び前記ストッパ部１３により位置決めされ、前記毛５８の残部が前記連結部１６から露出され、清掃作業を行うことを特徴とする請求項３に記載の交換式清掃用具。
【請求項８】
前記交換式部材４０は、複数の毛５８及びケース６２を含み、
前記ケース６２は、内部が中空状であり、前記毛５８が強固に結合された収容室６８を含み、前記毛５８の一部が前記ケース６２から露出されることを特徴とする請求項３に記載の交換式清掃用具。
【請求項９】
前記ケース６２は、凸縁２５及び２つの溝２７を有し、
前記凸縁２５は、前記ケース６２の外表面の前記収容室６８の開口部に隣接した箇所に環状に突設され、
前記溝２７は、前記ケース６２の両端の前記凸縁２５に隣接した箇所に凹設され、
前記交換式部材４０が前記収容空間１８に挿入されると、前記凸縁２５が前記連結部１６に当接されるため、前記ケース６２が前記収容空間１８に深く進入し過ぎることを防ぎ、前記リブ１１に前記溝２７が係合されて前記ケース６２が外れることを防ぐことを特徴とする請求項８に記載の交換式清掃用具。
【請求項１０】
前記ケース６２は、２つの凹部６１及び握持部６４を有し、
前記凹部６１は、前記ケース６２の両側に凹設され、
前記凹部６１は、前記溝２７を介して凸縁２５と離間され、
前記握持部６４と前記収容室６８の開口とは、前記ケース６２の異なる端部にそれぞれ形成されることを特徴とする請求項８に記載の交換式清掃用具。
【考案の詳細な説明】
【技術分野】
【０００１】
本考案は、清掃用具が交換可能な交換式清掃用具に関する。
【背景技術】
【０００２】
中国の諺「工欲善其事，必先利其器」とは、どんな仕事も効率的に行うには適切な道具が必要であるという意味である。例えば、掃き掃除、拭き掃除などの清掃作業には、箒、はたき、ブラシ、布、雑巾などを用意する必要がある。
【０００３】
これら清掃用具の大部分は、多くの部品（部材）が組み合わされて構成され、分解することはできない。例えば、箒には杆体が設けられている。杆体は、一端にハンドルが形成され、他端に長尺状物品が接続されている。羽毛はたきも杆体を有し、杆体の一部が動物の毛又は布きれに接続されている。ブラシにも多くの毛が取り付けられ、これらの毛の根部は、ハンドル又は杆体の一部など、同じ物品に植設される。
【０００４】
これら清掃用具の部品（部材）が壊れた場合、新しい物又は別の清掃用具と取り替えて使用し、壊れた清掃用具を廃棄しなければならず資源が浪費された。
【０００５】
清掃用具は、例えばワイパー、雑巾など単一の種類であることが一般的である。しかし、このようなワイパー又は雑巾が汚れると清潔な水で洗浄することができるが、絞って乾かしたとしても濡れているため、一定時間かけて乾燥させなければ元の乾いた状態にすることはできなかった。又、一部の汚染物は腐食してしまう特性を有するため、ワイパー又は雑巾で拭き掃除をしてから廃棄した後、ティッシュペーパーで再び拭き清めなければならず手間がかかった。
【０００６】
そのため、清掃用具全体を廃棄する必要がない交換式清掃用具が求められていた。
【考案の概要】
【考案が解決しようとする課題】
【０００７】
本考案は、清掃用具を着脱して交換することが容易な上、大量生産が可能であり、単独の部品（部材）が損壊したときに新しい物と交換することができるため、清掃用具全体を廃棄する必要が無く、環境保全の精神に合致し、自ら製作する喜びを感じることができ、資源を節約して不必要な浪費を防ぐことができる、交換式清掃用具を提供することを課題とする。
【課題を解決するための手段】
【０００８】
上記課題を解決するために、本考案の第１の形態によれば、ハンドル１０及び複数の交換式部材４０を備えた交換式清掃用具であって、前記ハンドル１０は、末端部１２及び連結部１６を有し、前記連結部１６は、中空状に形成されて収容空間１８を含み、前記収容空間１８の出入口と前記末端部１２とは、前記ハンドル１０の異なる端部にそれぞれ設けられ、前記交換式部材４０は、一部が前記ハンドル１０の前記収容空間１８に着脱自在に挿設され、残部が前記収容空間１８の出入口から露出されているため、前記ハンドル１０により容易に清掃作業を行うことを特徴とする交換式清掃用具が提供される。
【０００９】
前記連結部１６の内面には、前記連結部１６の前記収容空間１８に前記交換式部材４０が深く進入し過ぎることを防ぐために、少なくとも１つのストッパ部１３が設けられることが好ましい。
【００１０】
前記連結部１６の内面には、前記収容空間１８から前記交換式部材４０が不用意に外れることを防ぐために、少なくとも１つのリブ１１が突設されることが好ましい。
【００１１】
前記交換式部材４０は、発泡体４２、袋４４及び挟持部材２０を含み、前記挟持部材２０は、２つのカバー２２を含み、前記カバー２２は、部分的に接続されて接合位置と分離位置との間で揺動自在であり、前記カバー２２は、それぞれ２つの溝２７を有し、前記溝２７は、前記カバー２２の両側に位置し、接合位置のとき、前記袋４４は、前記発泡体４２を覆うとともに２つの前記カバー２２により挟持され、前記カバー２２の前記溝２７が前記リブ１１に係合され、前記挟持部材２０を支持し、前記ハンドル１０の前記収容空間１８を封止し、分離位置のとき、前記挟持部材２０が前記ハンドル１０の前記収容空間を離れ、前記カバー２２が分離されて前記発泡体４２が挟持されなくなることが好ましい。
【００１２】
前記カバー２２は、前記カバー２２の内側に形成された挟持空間２８の周りを囲む壁２４と、前記壁２４と一体化されて前記カバー２２の前記挟持空間２８へ突出された少なくとも１つの長板２１と、前記長板２１の外縁から突出した少なくとも１つの歯２３と、を有し、接合位置のとき、前記カバー２２の前記挟持空間２８により囲まれて凹溝が形成され、前記長板２１の前記歯２３のそれぞれが前記袋４４及び前記発泡体４２に噛合されることが好ましい。
【００１３】
前記挟持部材２０は、２つの凸縁２５及びラッチ構造３０を含み、前記凸縁２５は、前記カバー２２の外側面に突設され、前記ラッチ構造３０は、ピン３２及び槽３４を含み、前記ピン３２及び前記槽３４は、それぞれ異なる前記カバー２２上に形成され、接合位置のとき、前記凸縁２５が環状に形成されて前記ハンドル１０の前記連結部１６に当接され、前記ラッチ構造３０の前記槽３４には、前記ピン３２が収容されて当接されることが好ましい。
【００１４】
前記交換式部材４０は、ベース５２及び複数の毛５８を含み、前記ベース５２は、前端面５４及び後端面５６を有し、前記前端面５４と前記後端面５６との間隔は、前記リブ１１から前記ストッパ部１３までの距離に略等しく、前記毛５８の一部が前記ベース５２の前記前端面５４に挿入され、前記交換式部材４０が前記収容空間１８に挿入されると、前記ベース５２が前記リブ１１及び前記ストッパ部１３により位置決めされ、前記毛５８の残部が前記連結部１６から露出され、清掃作業を行うことが好ましい。
【００１５】
前記交換式部材４０は、複数の毛５８及びケース６２を含み、前記ケース６２は、内部が中空状であり、前記毛５８が強固に結合された収容室６８を含み、前記毛５８の一部が前記ケース６２から露出されることが好ましい。
【００１６】
前記ケース６２は、凸縁２５及び２つの溝２７を有し、前記凸縁２５は、前記ケース６２の外表面の前記収容室６８の開口部に隣接した箇所に環状に突設され、前記溝２７は、前記ケース６２の両端の前記凸縁２５に隣接した箇所に凹設され、前記交換式部材４０が前記収容空間１８に挿入されると、前記凸縁２５が前記連結部１６に当接されるため、前記ケース６２が前記収容空間１８に深く進入し過ぎることを防ぎ、前記リブ１１に前記溝２７が係合されて前記ケース６２が外れることが好ましい。
【００１７】
前記ケース６２は、２つの凹部６１及び握持部６４を有し、前記凹部６１は、前記ケース６２の両側に凹設され、前記凹部６１は、前記溝２７を介して凸縁２５と離間され、前記握持部６４と前記収容室６８の開口とは、前記ケース６２の異なる端部にそれぞれ形成されることが好ましい。
【考案の効果】
【００１８】
本考案の交換式清掃用具は、清掃用具を着脱して交換することが容易な上、自ら製作する喜びを感じることができ、資源を節約し、不必要な浪費を防ぎ、部品が損壊したときにそれだけを新しい物と交換して清掃用具全体を廃棄する必要が無いため、環境保全の精神に合致する。
【図面の簡単な説明】
【００１９】
【図１】図１は、本考案の第１実施形態に係る交換式清掃用具を示す斜視図である。
【図２】図２は、本考案の第１実施形態に係る交換式清掃用具を示す分解斜視図である。
【図３】図３は、本考案の第１実施形態に係る交換式清掃用具のハンドルを示す側面図である。
【図４】図４は、本考案の第１実施形態に係る交換式清掃用具のハンドルを示す正面図である。
【図５】図５は、図４の線Ａ−Ａに沿った断面図である。
【図６】図６は、本考案の第１実施形態に係る挟持部材が接合位置にある状態を示す斜視図である。
【図７】図７は、本考案の第１実施形態に係る挟持部材を示す正面図である。
【図８】図８は、本考案の第１実施形態に係る交換式清掃用具を示す部分断面図である。
【図９】図９は、本考案の第１実施形態に係る交換式清掃用具を別の角度から見たところを示す斜視図である。
【図１０】図１０は、本考案の第１実施形態に係る交換式清掃用具の他の位置を示す断面図である。
【図１１】図１１は、本考案の第２実施形態に係る交換式清掃用具を示す斜視図である。
【図１２】図１２は、本考案の第２実施形態に係る交換式清掃用具のハンドルを示す部分断面図である。
【図１３】図１３は、図１２のハンドルに交換式部材を結合した状態を示す拡大図である。
【図１４】図１４は、別の交換式部材と交換するときの状態を示す説明図である。
【図１５】図１５は、図１４の清掃用具を交換した後の状態を示す斜視図である。
【図１６】図１６は、図１５の清掃用具を示す断面図である。
【考案を実施するための形態】
【００２０】
以下、本考案の交換式清掃用具の実施形態について、図面を参照しながら説明する。
【００２１】
（第１実施形態）
図１を参照する。図１に示すように、本考案の第１実施形態に係る交換式清掃用具は、ハンドル１０と、ハンドル１０に取り付けられる交換式部材４０とを含む。
【００２２】
図２〜図５を参照する。図２〜図５に示すように、上述したハンドル１０は、末端部１２、首部１４及び連結部１６の３つの部分に分けられる。末端部１２は、略水滴状を呈し、首部１４の収縮形状に対応して扁平状の連結部１６の両側に至るまで延びる。連結部１６の頂面１５は平坦であり、曲率形成された起伏状の底面１７により、人体工学的に好ましい輪郭を形成し、使用者はハンドル１０を手で持って操作することができる。
【００２３】
連結部１６は、中空状であり、細長くて周りを囲むように形成され、ハンドル１０の前端には収容空間１８が形成される。収容空間１８の出入口の縁部１９は凸曲面であり、縁部１９の中央部の距離Ｓ２が側辺の距離Ｓ１より小さいため、連結部１６は挟持作用を得ることができる。
【００２４】
連結部１６は、１本の環状リブ１１を有する。上述したリブ１１は、連結部１６内面の縁部１９に隣接した箇所で隆起する。また、連結部１６内面には、２つのストッパ部１３が形成されている。第１実施形態の各ストッパ部１３は、互いに平行な２つの三角片を指す。一部の実施形態において、各ストッパ部１３は、凸点又は多辺形ブロックでもよい。
【００２５】
図２を参照する。図２に示すように、交換式部材４０は、挟持部材２０、２つのラッチ構造３０、発泡体４２及び袋４４を含む。
【００２６】
発泡体４２は、矩形状厚板であり、ウレタン、ゴム、ポリスチレン、ポリエチレン、熱可塑性プラスチック、熱硬化性プラスチック、発泡プラスチック又は熱可塑性高分子弾性体でもよい。
【００２７】
袋４４は、フランネル、人工繊維、長繊維又は短繊維の織編物でもよい。第１実施形態では、袋４４の袋口を開放状にして発泡体４２を中に入れてもよい。他の実施形態では、袋４４の袋口を縫合して発泡体４２を包んでもよい。
【００２８】
図２、図６及び図７を参照する。図２、図６及び図７に示すように、挟持部材２０は２つのカバー２２を含む。即ち、各カバー２２は挟持部材２０の半分である。
【００２９】
各カバー２２は、カバー２２内の挟持空間２８を囲む壁２４を有する。上述した壁２４は、互いに平行な２つの長板２１を有する。これら２つの長板２１は、形状が略同じであり、壁２４と一体化されて挟持空間２８中で隆起する。長板２１の頂面には、連続した凹凸が形成され、大きさが異なる複数の歯２３を有する。このように、カバー２２の内在構造の輪郭が形成される。
【００３０】
外部の輪郭から見て、各カバー２２は、凸縁２５、接続部２６及び２つの溝２７をそれぞれ有する。凸縁２５は、カバー２２の外表面から隆起し、接続部２６とカバー２２とは同一端に形成されていない。これら隆起部２９は、構造強度を高めるために、カバー２２表面の凸縁２５に隣接した位置に形成される。これらの溝２７はカバー２２の両端の凸縁２５に隣接した箇所に凹設され、対応した隆起部２９に近接した各溝２７は、凸縁２５の中央部より離れる。上述した接続部２６は、もう一つのカバー２２の接続部２６と接続され、２つのカバー２２を支持し、接合位置と分離位置との間で揺動自在である。
【００３１】
また、各ラッチ構造３０は、ピン３２及び槽３４を有する。上述したピン３２と槽３４とは互いに異なるカバー２２上に形成される。
【００３２】
図８〜図１０に示すように、位置決めする際、挟持部材２０内部に形成された凹溝はカバー２２の挟持空間２８により囲まれ、各長板２１は細長い孔に対応する。凹溝の容積が孔の容積より大きいため、発泡体４２に袋４４を被せて挟持部材２０の凹溝に一緒に設置し、各長板２１の歯２３が袋４４に隣接した袋口と、一部の発泡体４２とに噛合され、２つのカバー２２により袋４４及び発泡体４２が挟持される。
【００３３】
カバー２２が位置決めされると、槽３４にピン３２が収容され、槽３４の壁面によりピン３２の外表面を押圧してラッチ作用が発生し、これらのカバー２２は容易に分離することを防ぐ。このように挟持部材２０、発泡体４２及び袋４４を含む交換式部材４０を交換すると、必要な清掃用具をハンドル１０に取り付けることができるため、簡便に使用することができる。
【００３４】
分離位置にあるとき、接続部２６の接続箇所を中心として用い、これらのカバー２２が力を受けて外方へ開かれると、ピン３２が槽３４から外れて各長板２１の歯２３が袋４４に隣接した袋口と、一部の発泡体４２とが噛合されなくなる。簡単に言うと、これらのカバー２２により、袋４４及び発泡体４２は挟持されなくなる。
【００３５】
続いて、位置決めされた挟持部材２０は、接続部２６がハンドル１０に挿入され、収容空間１８の出入口を封止する。このとき、これらのカバー２２の溝２７が半円の切欠きに形成され、連結部１６内面のリブ１１により係合され、収容空間１８における挟持部材２０の深さが制限され、ハンドル１０に深く入り過ぎることを防ぐことができる。
【００３６】
また、これらのカバー２２を位置決めすると、各凸縁２５が環状に形成されて連結部１６の縁部１９に当接され、交換式部材４０がハンドル１０の収容空間１８に深く進入し過ぎることを防ぐことができる。勿論、連結部１６内面に設けられたストッパ部１３によっても、同様に挟持部材２０がハンドル１０の収容空間１８に深く進入し過ぎることを防ぐことができる。
【００３７】
また、連結部１６の縁部１９が挟持部材２０により外方へ拡張され、カバー２２が挟持される。連結部１６のリブ１１がカバー２２の隆起部２９に接触され、挟持部材２０に対して同じ方向の挟持力を得て、カバー２２が外れることを防ぐこともできる。
【００３８】
また、挟持部材２０は、力を受けるとハンドル１０の収容空間１８から引き離される。連結部１６の拘束が失われると、２つのカバー２２が合併位置から分離位置へ移動し、袋４４又は発泡体４２を容易に新しい物と交換することができる。
【００３９】
このように、第１実施形態の清掃用具は、取り外したり組立てたりすることが容易である上、自らの手で作り上げる楽しさを味わうこともできる。また、清掃用具全体を廃棄せずに、壊れた部品を新しい物と交換するだけで再び使用することもできるため、環境保全の精神に合致し、資源を節約し、無駄を防ぐことができる。
【００４０】
（第２実施形態）
図１１〜図１６を参照する。図１１〜図１６に示すように、本考案の第２実施形態に係る交換式清掃用具は、第１実施形態と略同じであるが、ハンドル１０が２つのリブ１１を有し、各リブ１１が半円形を呈して連結部１６内面の縁部１９に近接した側辺位置から隆起している点が異なる。
【００４１】
続いて、交換式部材は、第１の刷毛５０又は第２の刷毛６０でもよく、何れか１つの刷毛５０，６０の一部をハンドル１０の収容空間１８へ挿設すると、残部が収容空間１８の出入口から露出され、ハンドル１０により清掃作業を容易に行うことができる。
【００４２】
図１３及ぶ図１４を参照する。図１３及び図１４に示すように、上述した第１の刷毛５０は、ベース５２と複数の毛５８とから構成される。ベース５２は矩形体であり、前端面５４及び後端面５６を有する。前端面５４と後端面５６との間隔は、前述したリブ１１からストッパ部１３までの距離に略等しい。ベース５２は、ウレタン、ゴム、ポリスチレン、ポリエチレン、熱可塑性プラスチック、熱硬化性プラスチック、発泡プラスチック又は熱可塑性高分子剛性体でもよい。
【００４３】
これらの毛５８は、数本を１束とし、各１束の毛５８の根部がベース５２の前端面５４に挿入されるため、靭性、コシなどを有し、例えば、キイボードのような狭い場所又は隙間にある埃、毛屑などを清掃するために用いる。各毛５８は、鋼、アルミニウム、真鍮、ステンレスなどの金属線、或いはポリプロピレン（ｐｏｌｙｐｒｏｐｙｌｅｎｅ：ＰＰ）、ポリ塩化ビニル（ｐｏｌｙｖｉｎｙｌ  ｃｈｌｏｒｉｄｅ：ＰＶＣ）、ナイロン（ｎｙｌｏｎ）、ポリエチレン（ｐｏｌｙｅｔｈｙｌｅｎｅ：ＰＥ）の合成材料からなるか、或いは豚、馬などの動物の剛毛でもよい。
【００４４】
ベース５２がハンドル１０の収容空間１８に挿入されると、連結部１６内面のストッパ部１３がベース５２の後端面５６に当接され、リブ１１がベース５２の前端面５４により阻まれる。そのため、上述のベース５２がリブ１１及びストッパ部１３により位置固定され、第１の刷毛５０が容易に外れないようにハンドル１０に結合され、毛５８の残部が連結部１６の縁部１９から露出され、使用者がハンドル１０を操作して掃除などの清掃作業を行うことができる。
【００４５】
図１４〜図１６を参照する。図１４〜図１６に示すように、第１の刷毛５０をハンドル１０から取り外すと、連結部１６の収容空間１８がベース５２により封止されなくなり、第２の刷毛６０をハンドル１０の収容空間１８へ挿設し、清掃用具として使用することができる。
【００４６】
第２の刷毛６０は、多くの毛５８を有するが、各毛５８が柔らかくて（例えばフランネル）、第１の刷毛５０の毛５８よりも靭性及びコシが弱く、静電気の排除に適し、埃がコンピューター、デジタルカメラ、スクリーンなどの機器又は物品の表面に付着することを防ぐことができる。
【００４７】
続いて、扁平状のケース６２は、内部が中空状であり、全てのフランネルを収容する収容室６８を含み、必要な第２の刷毛６０を有する。第２実施形態において、一部の接着剤は、これらの毛５８の根部がケース６２の深い箇所に接着される。他の実施形態では、織編、挟持又は組み込みなどの構造の一つであり、これらの毛５８は、ケース６２の内部に強固に固定される。
【００４８】
ケース６２は、握持部６４を有し、収容室６８の開口がケース６２の反対側の端部に形成され、使用者が操作し、握持部６４の毛５８で清掃作業を行う。本実施形態において、握持部６４は、中実棒であり、握持部６４の自由端には孔部６６が形成され、第２の刷毛６０を吊掛して収納する。他の実施形態において、握持部６４は中空状の杆であるが、これも本考案の範囲内に含まれる。また、ケース６２の外部輪郭は、以下の機能の形状又は構造を含む。
【００４９】
凸縁２５は、ケース６２の外表面の収容室６８の開口部に隣接した箇所から環状で隆起し、握持部６４に面した一面が凹み、その曲率は、連結部１６の縁部１９に略等しい。
【００５０】
２つの溝２７は、半月形状であり、ケース６２の両側の凸縁２５に隣接した箇所に凹設される。
【００５１】
２つの凹部６１は、例えば、Ｖ字状の切欠きであり、ケース６２の両側に凹設され、各凹部６１と凸縁２５とが溝２７により離間され、凹部６１と溝２７とにより形成される間隔は、前述したリブ１１からストッパ部１３までの距離に略等しい。
【００５２】
ケース６２が連結部１６の収容空間１８に挿入されると、凸縁２５が連結部１６の縁部１９により阻まれる。凹部６１と連結部１６内部のストッパ部１３とが当接されると、各溝２７が対応したリブ１１により係合され、第２の刷毛６０とハンドル１０とが結合されて容易に分離することがなく、連結部１６の収容空間１８の深い箇所に握持部６４が隠される。
【００５３】
このように、ハンドル１０を操作すると、何れか１つの刷毛５０，６０の毛５８により清掃作業を容易に行うことができる。
【００５４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００５５】
１０  ハンドル
１１  リブ
１２  末端部
１３  ストッパ部
１４  首部
１５  頂面
１６  連結部
１７  底面
１８  収容空間
１９  縁部
２０  挟持部材
２１  長板
２２  カバー
２３  歯
２４  壁
２５  凸縁
２６  接続部
２７  溝
２８  挟持空間
２９  隆起部
３０  ラッチ構造
３２  ピン
３４  槽
４０  交換式部材
４２  発泡体
４４  袋
５０  第１の刷毛
５２  ベース
５４  前端面
５６  後端面
５８  毛
６０  第２の刷毛
６１  凹部
６２  ケース
６４  握持部
６６  孔部
６８  収容室
【図１】
0003201395.tif 000003
【図２】
0003201395.tif 000004
【図３】
0003201395.tif 000005
【図４】
0003201395.tif 000006
【図５】
0003201395.tif 000007
【図６】
0003201395.tif 000008
【図７】
0003201395.tif 000009
【図８】
0003201395.tif 000010
【図９】
0003201395.tif 000011
【図１０】
0003201395.tif 000012
【図１１】
0003201395.tif 000013
【図１２】
0003201395.tif 000014
【図１３】
0003201395.tif 000015
【図１４】
0003201395.tif 000016
【図１５】
0003201395.tif 000017
【図１６】
0003201395.tif 000018
【手続補正書】
【提出日】平成27年10月13日(2015.10.13)
【手続補正１】
【補正対象書類名】実用新案登録請求の範囲
【補正対象項目名】全文
【補正方法】変更
【補正の内容】
【実用新案登録請求の範囲】
【請求項１】
ハンドル（１０）及び複数の交換式部材（４０）を備えた交換式清掃用具であって、
前記ハンドル（１０）は、末端部（１２）及び連結部（１６）を有し、前記連結部（１６）は、中空状に形成されて収容空間（１８）を含み、前記収容空間（１８）の出入口と前記末端部（１２）とは、前記ハンドル（１０）の異なる端部にそれぞれ設けられ、
前記交換式部材（４０）は、一部が前記ハンドル（１０）の前記収容空間（１８）に着脱自在に挿設され、残部が前記収容空間（１８）の出入口から露出されているため、前記ハンドル（１０）により容易に清掃作業を行うことを特徴とする交換式清掃用具。
【請求項２】
前記連結部（１６）の内面には、前記連結部（１６）の前記収容空間（１８）に前記交換式部材（４０）が深く進入し過ぎることを防ぐために、少なくとも１つのストッパ部（１３）が設けられることを特徴とする請求項１に記載の交換式清掃用具。
【請求項３】
前記連結部（１６）の内面には、前記収容空間（１８）から前記交換式部材（４０）が不用意に外れることを防ぐために、少なくとも１つのリブ（１１）が突設されることを特徴とする請求項２に記載の交換式清掃用具。
【請求項４】
前記交換式部材（４０）は、発泡体（４２）、袋（４４）及び挟持部材（２０）を含み、
前記挟持部材（２０）は、２つのカバー（２２）を含み、
前記カバー（２２）は、部分的に接続されて接合位置と分離位置との間で揺動自在であり、
前記カバー（２２）は、それぞれ２つの溝（２７）を有し、
前記溝（２７）は、前記カバー（２２）の両側に位置し、
接合位置のとき、前記袋（４４）は、前記発泡体（４２）を覆うとともに２つの前記カバー（２２）により挟持され、前記カバー（２２）の前記溝（２７）が前記リブ（１１）に係合され、前記挟持部材（２０）を支持し、前記ハンドル（１０）の前記収容空間（１８）を封止し、
分離位置のとき、前記挟持部材（２０）が前記ハンドル（１０）の前記収容空間を離れ、前記カバー（２２）が分離されて前記発泡体（４２）が挟持されなくなることを特徴とする請求項３に記載の交換式清掃用具。
【請求項５】
前記カバー（２２）は、
前記カバー（２２）の内側に形成された挟持空間（２８）の周りを囲む壁（２４）と、
前記壁（２４）と一体化されて前記カバー（２２）の前記挟持空間（２８）へ突出された少なくとも１つの長板（２１）と、
前記長板（２１）の外縁から突出した少なくとも１つの歯（２３）と、を有し、
接合位置のとき、前記カバー（２２）の前記挟持空間（２８）により囲まれて凹溝が形成され、前記長板（２１）の前記歯（２３）のそれぞれが前記袋（４４）及び前記発泡体（４２）に噛合されることを特徴とする請求項４に記載の交換式清掃用具。
【請求項６】
前記挟持部材（２０）は、２つの凸縁（２５）及びラッチ構造（３０）を含み、
前記凸縁（２５）は、前記カバー（２２）の外側面に突設され、
前記ラッチ構造（３０）は、ピン（３２）及び槽（３４）を含み、
前記ピン（３２）及び前記槽（３４）は、それぞれ異なる前記カバー（２２）上に形成され、
接合位置のとき、前記凸縁（２５）が環状に形成されて前記ハンドル（１０）の前記連結部（１６）に当接され、
前記ラッチ構造（３０）の前記槽（３４）には、前記ピン（３２）が収容されて当接されることを特徴とする請求項４又は５に記載の交換式清掃用具。
【請求項７】
前記交換式部材（４０）は、ベース（５２）及び複数の毛（５８）を含み、
前記ベース（５２）は、前端面（５４）及び後端面（５６）を有し、
前記前端面（５４）と前記後端面（５６）との間隔は、前記リブ（１１）から前記ストッパ部（１３）までの距離に略等しく、
前記毛（５８）の一部が前記ベース（５２）の前記前端面（５４）に挿入され、
前記交換式部材（４０）が前記収容空間（１８）に挿入されると、前記ベース（５２）が前記リブ（１１）及び前記ストッパ部（１３）により位置決めされ、前記毛（５８）の残部が前記連結部（１６）から露出され、清掃作業を行うことを特徴とする請求項３に記載の交換式清掃用具。
【請求項８】
前記交換式部材（４０）は、複数の毛（５８）及びケース（６２）を含み、
前記ケース（６２）は、内部が中空状であり、前記毛（５８）が強固に結合された収容室（６８）を含み、前記毛（５８）の一部が前記ケース（６２）から露出されることを特徴とする請求項３に記載の交換式清掃用具。
【請求項９】
前記ケース（６２）は、凸縁（２５）及び２つの溝（２７）を有し、
前記凸縁（２５）は、前記ケース（６２）の外表面の前記収容室（６８）の開口部に隣接した箇所に環状に突設され、
前記溝（２７）は、前記ケース（６２）の両端の前記凸縁（２５）に隣接した箇所に凹設され、
前記交換式部材（４０）が前記収容空間（１８）に挿入されると、前記凸縁（２５）が前記連結部（１６）に当接されるため、前記ケース（６２）が前記収容空間（１８）に深く進入し過ぎることを防ぎ、前記リブ（１１）に前記溝（２７）が係合されて前記ケース（６２）が外れることを防ぐことを特徴とする請求項８に記載の交換式清掃用具。
【請求項１０】
前記ケース（６２）は、２つの凹部（６１）及び握持部（６４）を有し、
前記凹部（６１）は、前記ケース（６２）の両側に凹設され、
前記凹部（６１）は、前記溝（２７）を介して凸縁（２５）と離間され、
前記握持部（６４）と前記収容室（６８）の開口とは、前記ケース（６２）の異なる端部にそれぞれ形成されることを特徴とする請求項９に記載の交換式清掃用具。